(57)【要約】【課題】  誤った宛先への送信ミスを確実に防ぐことができるデータ送信方法、データ送信プログラムおよびデータ送信装置を提供する。【解決手段】  操作パネル３を操作して宛先番号を入力すると、メインＣＰＵ２０は、入力された宛先番号と、通信結果記憶部２８に記憶されている過去に正常に送信が完了した宛先番号からなる宛先確認用リストとを比較し、入力された宛先番号の正誤を判定し、入力された宛先番号が正しいと判定したとき、通信部２９は、ファクシミリデータを宛先番号により特定される宛先のファクシミリ装置１０１に通信網１０１を介して送信する。【選択図】    図１
2006324968.tif 000002
【特許請求の範囲】
【請求項１】
宛先情報を入力する入力ステップと、
入力された前記宛先情報と過去に正常に送信が完了した宛先情報からなる送信履歴情報とを比較し、入力された前記宛先情報の正誤を判定する判定ステップと、
入力された前記宛先情報が正しいと判定されたとき、送信データを前記宛先情報により特定される宛先に通信網を介して送信する送信ステップとを含むことを特徴とするデータ送信方法。
【請求項２】
前記判定ステップは、入力された前記宛先情報が誤りであると判定したとき、宛先情報の入力を再度受け付ける再入力ステップと、前記入力ステップで入力された前記宛先情報と前記再入力ステップで再入力された前記宛先情報とを比較し、入力された前記宛先情報の正誤を判定する再判定ステップとを含むことを特徴とする請求項１に記載のデータ送信方法。
【請求項３】
前記判定ステップは、入力された前記宛先情報が正しいと判定したとき、前記送信データを送信するか中止するかの指示を受け付ける確認ステップを含み、
前記送信ステップは、前記確認ステップで送信指示を受け付けたとき、前記送信データを送信することを特徴とする請求項１または２に記載のデータ送信方法。
【請求項４】
前記判定ステップは、前記再入力ステップ後、入力された前記宛先情報が誤りであると判定したとき、宛先情報の入力を再度受け付けるか、前記送信データの送信を中止するかの指示を受け付ける確認ステップを含むことを特徴とする請求項２に記載のデータ送信方法。
【請求項５】
前記入力ステップは、予め登録されている複数の宛先情報から選択して入力することを特徴とする請求項１に記載のデータ送信方法。
【請求項６】
前記入力ステップは、複数の宛先情報を入力し、
前記送信ステップは、前記判定ステップで正しいと判定された宛先情報に前記送信データを同時に送信することを特徴とする請求項１に記載のデータ送信方法。
【請求項７】
前記入力ステップは、複数の宛先情報を指定する指定ステップを含み、前記複数の宛先情報のうち前記正誤を判定させる前記宛先情報を入力し、
前記送信ステップは、前記指定ステップで指定された前記複数の宛先情報のうち前記判定ステップで誤りと判定された宛先情報を除く宛先情報に前記送信データを同時に送信することを特徴とする請求項１に記載のデータ送信方法。
【請求項８】
前記送信ステップは、入力された前記宛先情報が正しいと判定されたとき、原稿から原稿画像を読み取り、その原稿画像を前記送信データとして送信することを特徴とする請求項１に記載のデータ送信方法。
【請求項９】
前記入力ステップは、データ送信機能、コピー機能、プリンタ機能、スキャン機能等の複数の機能から前記データ送信機能が選択された後に行われることを特徴とする請求項１に記載のデータ送信方法。
【請求項１０】
請求項１乃至９のいずれかに記載のデータ送信方法をコンピュータに実行させるためのデータ送信プログラム。
【請求項１１】
宛先情報を入力する入力部と、
過去に正常に送信が完了した宛先情報からなる送信履歴情報を記憶する記憶部と、
入力された前記宛先情報と前記送信履歴情報とを比較し、入力された前記宛先情報の正誤を判定する判定部と、
入力された前記宛先情報が前記判定部により正しいと判定されたとき、送信データを通信網を介して前記宛先情報により特定される宛先に送信する送信部とを備えたことを特徴とするデータ送信装置。
【発明の詳細な説明】
【技術分野】
【０００１】
本発明は、ファクシミリデータや電子メール等の送信データを送信するデータ送信方法、データ送信プログラムおよびデータ送信装置に関する。
【背景技術】
【０００２】
近年、個人情報保護法の施行などにより、ファクシミリ装置等のデータ送信装置には、誤送信による機密情報漏洩防止など、そのセキュリティ機能の強化が求められている。
【０００３】
セキュリティ機能の強化を図った従来のファクシミリ装置として、例えば、特許文献１に記載されたものがある。
【０００４】
このファクシミリ装置は、宛先番号をユーザに複数回入力させ、それらが相互に一致した場合にのみ発呼動作を行い、一致しない場合にはその旨を表示し、発呼動作を行わないように制御している。これにより、誤った宛先入力操作による誤った通信が行われるのを防止することができる。
【０００５】
【特許文献１】特開平７−１５４５６３号公報
【発明の開示】
【発明が解決しようとする課題】
【０００６】
しかし、従来のファクシミリ装置によると、ユーザが誤って覚えた宛先を入力した場合には、それを複数回入力したとしても、誤った通信が行われてしまう。
【０００７】
従って、本発明の目的は、誤った宛先への送信ミスを確実に防ぐことができるデータ送信方法、データ送信プログラムおよびデータ送信装置を提供することにある。
【課題を解決するための手段】
【０００８】
本発明の一態様は、上記目的を達成するため、宛先情報を入力する入力ステップと、入力された前記宛先情報と過去に正常に送信が完了した宛先情報からなる送信履歴情報とを比較し、入力された前記宛先情報の正誤を判定する判定ステップと、入力された前記宛先情報が正しいと判定されたとき、送信データを前記宛先情報により特定される宛先に通信網を介して送信する送信ステップとを含むことを特徴とするデータ送信方法を提供する。
【０００９】
上記データ送信方法によれば、入力された宛先情報と過去に正常に送信が完了した宛先情報からなる送信履歴情報とが比較され、入力された宛先情報の正誤が判定されるので、誤った宛先情報に基づいて送信データが送信されるのを防ぐことができる。
【００１０】
宛先情報は、電話番号、電子メールアドレス等の宛先を特定するものをいい、数字、英文字、記号等で表される。宛先情報の入力方法は、Ａ〜Ｚ等のボタンに宛先情報が割り当てられたワンタッチボタン、０〜９等のテンキーに宛先情報の短縮番号が割り当てられた短縮ボタン、テンキー等を用いることができるが、その方法は限定されない。送信データには、ファクシミリデータ，電子メールデータ等が含まれる。通信網には、電話回線、ＩＳＤＮ、インターネット、ＬＡＮ等が含まれ、有線、無線を問わない。
【００１１】
前記判定ステップは、入力された前記宛先情報が誤りであると判定したとき、宛先情報の入力を再度受け付ける再入力ステップと、前記入力ステップで入力された前記宛先情報と前記再入力ステップで再入力された前記宛先情報とを比較し、入力された前記宛先情報の正誤を判定する再判定ステップとを含むものでもよい。新規に宛先情報を入力する場合は、最初の判定ステップで宛先情報が誤りであると判定されるが、再入力ステップを設けることにより、再判定ステップで宛先情報が正しいと判定され、送信を行うことができる。
【００１２】
前記判定ステップは、入力された前記宛先情報が正しいと判定したとき、前記送信データを送信するか中止するかの指示を受け付ける確認ステップを含み、前記送信ステップは、前記確認ステップで送信指示を受け付けたとき、前記送信データを送信する構成としてもよい。入力した宛先情報が正しいと判定された場合でも、確認ステップに進むか、送信ステップに進むかをユーザが選択することができる。
【００１３】
前記判定ステップは、前記再入力ステップ後、入力された前記宛先情報が誤りであると判定したとき、宛先情報の入力を再度受け付けるか、前記送信データの送信を中止するかの指示を受け付ける確認ステップを含むものでもよい。２回入力した宛先情報が不一致のため、入力した宛先情報が誤りであると判定されたとき、再入力して再判定ステップに進むか、処理を中止するかをユーザが選択することができる。
【００１４】
前記入力ステップは、予め登録されている複数の宛先情報から選択して入力するものとしてもよい。複数の宛先情報から選択することにより、宛先情報の入力操作が容易となる。また、宛先情報が正しく登録されているか否かを判定することができる。
【００１５】
前記入力ステップは、複数の宛先情報を入力し、前記送信ステップは、前記判定ステップで正しいと判定された宛先情報に前記送信データを同時に送信してもよい。１回の入力操作で複数箇所に同時に送信できるので、送信作業が容易となり、送信ミスも防ぐことができる。
【００１６】
前記入力ステップは、複数の宛先情報を指定する指定ステップを含み、前記複数の宛先情報のうち前記正誤を判定させる前記宛先情報を入力し、前記送信ステップは、前記指定ステップで指定された前記複数の宛先情報のうち前記判定ステップで誤りと判定された宛先情報を除く宛先情報に前記送信データを同時に送信してもよい。必要な宛先情報のみを正誤判定することができる。また、１回の入力操作で複数箇所に同時に送信できるので、送信作業が容易となり、送信ミスも防ぐことができる。
【００１７】
前記送信ステップは、入力された前記宛先情報が正しいと判定されたとき、原稿から原稿画像を読み取り、その原稿画像を前記送信データとして送信してもよい。宛先情報が正しいとされた場合のみ原稿画像が読み取られるので、無駄な読み取り動作を無くすことができる。
【００１８】
前記入力ステップは、データ送信機能、コピー機能、プリンタ機能、スキャン機能等の複数の機能から前記データ送信機能が選択された後に行われるものとしてもよい。複数の機能を有しているので、利用者の利便性が向上する。
【００１９】
本発明の一態様は、上記目的を達成するため、上記データ送信方法をコンピュータに実行させるためのデータ送信プログラムを提供する。
【００２０】
上記データ送信プログラムによれば、ユーザの希望に対応させてステップの変更、追加、削除等を容易に行うことができる。
【００２１】
本発明の一態様は、上記目的を達成するため、宛先情報を入力する入力部と、過去に正常に送信が完了した宛先情報からなる送信履歴情報を記憶する記憶部と、入力された前記宛先情報と前記送信履歴情報とを比較し、入力された前記宛先情報の正誤を判定する判定部と、入力された前記宛先情報が前記判定部により正しいと判定されたとき、送信データを通信網を介して前記宛先情報により特定される宛先に送信する送信部とを備えたことを特徴とするデータ送信装置を提供する。
【００２２】
上記データ送信装置によれば、入力された宛先情報と過去に正常に送信が完了した宛先情報からなる送信履歴情報とが判定部により比較され、入力された宛先情報の正誤が判定されるので、送信部から誤った宛先情報に基づいて送信データが送信されるのを防ぐことができる。
【発明の効果】
【００２３】
本発明によれば、入力された宛先情報と過去に正常に送信が完了した宛先情報からなる送信履歴情報とが比較され、入力された宛先情報の正誤が判定されるので、誤った宛先への送信ミスを確実に防ぐことができる。
【発明を実施するための最良の形態】
【００２４】
［第１の実施の形態］
図１は、本発明の第１の実施の形態に係るデータ送信装置が適用された複合機のブロック図である。この複合機１は、コピー機能、プリンタ機能、スキャン機能、ファクシミリ機能等の複数の機能を有し、複合機１全体を制御するコントローラ２と、ユーザの操作によって各種の入力が可能な操作パネル３と、原稿から画像を読み取って入力する画像入力部４と、用紙に画像を印刷して出力する画像出力部５とを備え、通信網１００を介してファクシミリ装置１０１およびパーソナルコンピュータ（ＰＣ）１０２が接続されている。なお、同図では、ファクシミリ装置１０１およびＰＣ１０２は、それぞれ１台図示されているが、台数は限定されない。
【００２５】
「コピー機能」とは、画像入力部（スキャナともいう。）で読み取られた画像データを画像出力部（印刷エンジンともいう。）によって用紙に印刷する機能をいい、「プリンタ機能」とは、ＰＣから送信された画像データを画像出力部によって用紙に印刷する機能をいい、「スキャン機能」とは、画像入力部で読み取られた画像データを指定されたＰＣ等の外部装置に転送する機能いい、「ファクシミリ機能」とは、画像データを電話回線等の通信網を介して送受信する機能をいう。
【００２６】
操作パネル３は、原稿の読み取り開始、あるいはファクシミリ送信の開始を指示するスタートボタン、コピーやファクシミリ送信作業を中止するストップボタン、テンキー等の複数のボタンの他、タッチパネルディスプレイ３０を備える。タッチパネルディスプレイ３０は、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００２７】
画像入力部４は、原稿が１枚ずつ載置される原稿台と、原稿を自動的に１枚ずつ原稿台に供給するＡＤＦ（自動給紙装置）と、原稿台に載置された原稿、あるいはＡＤＦから供給された原稿から画像を光学的に読み取る画像読取部とを備えている。
【００２８】
画像出力部５は、画像を電子写真プロセス方式により用紙に印刷するものである。電子写真プロセスは、感光体に対する帯電，現像，クリーニングを繰り返すことにより実現される。なお、画像出力部５は、インクジェット方式、感熱転写方式等の他の方式を採用したものでもよい。
【００２９】
コントローラ２は、このコントローラ２および複合機１全体を制御するメインＣＰＵ２０を有し、このメインＣＰＵ２０に、バス２１を介して、パネルＩ／Ｆ２２、ページメモリ２３が接続された入力部Ｉ／Ｆ２４、出力部Ｉ／Ｆ２５、システムメモリ２６、圧縮・伸長部２７、通信結果記憶部２８、および通信部２９を接続して構成されている。
【００３０】
パネルＩ／Ｆ２２、入力部Ｉ／Ｆ２４および出力部Ｉ／Ｆ２５は、それぞれ操作パネル３、画像入力部４および画像出力部５との間で情報の送受信を行うものである。
【００３１】
ページメモリ２３は、画像入力部４によって読み取られた画像を入力部Ｉ／Ｆ２４を介してページ単位で記憶するものである。
【００３２】
システムメモリ２６には、後述する図６のフローチャートに示すようなＣＰＵ２０の動作プログラムや、後述する図２〜図５に示すような画面等の各種のデータが記憶されている。
【００３３】
圧縮・伸長部２７は、ファクシミリデータを送信する際にデータを圧縮し、ファクシミリデータを受信した際にデータを伸長するものである。
【００３４】
通信結果記憶部２８には、過去に正常に送信が完了した宛先情報としての宛先番号からなる送信履歴情報としての宛先確認用リストが記憶されている。この宛先確認用リストは、正常にファクシミリ送信が完了した場合には、メインＣＰＵ２０によってその宛先番号が宛先確認用リストに登録され、登録後ファクシミリ送信が失敗した場合には、メインＣＰＵ２０によりその宛先番号が削除されるようになっている。なお、宛先番号の削除は、ユーザの削除指示に基づいてメインＣＰＵ２０が削除してもよい。また、宛先確認用リストへの宛先の登録数が最大数に達した場合は、メインＣＰＵ２０が履歴の最も古い宛先を削除し、最新の宛先情報を追加してもよい。
【００３５】
通信部２９は、公衆回線，ネットワーク等の通信網１００に接続され、相手のファクシミリ装置１０１との間でファクシミリの送受信ができるように構成されている。また、パーソナルコンピュータ（ＰＣ）１０２から複合機１が有する機能を通信網１００を介して利用できるようにも構成されている。例えば、ＰＣ１０２で作成した送信データを複合機１によりファクシミリ送信することができる。
【００３６】
（第１の実施の形態の動作）
次に、第１の実施の形態の動作を図１〜図５を参照し、図６のフローチャートに従って説明する。図２〜図５は、タッチパネルディスプレイ３０に表示される画面を示す。なお、以下の動作説明では、複合機１が有する複数の機能のうちファクシミリ機能の動作について説明する。また、特に記載がない場合は、メインＣＰＵ２０が行うものとする。
【００３７】
まず、ユーザは、画像入力部４のＡＤＦに送信対象の原稿をセットし、操作パネル３のタッチパネルディスプレイ３０に表示されているメニュー画面からファクシミリ送信機能を選択する。コントローラ２のメインＣＰＵ２０は、タッチパネルディスプレイ３０に宛先番号入力画面（図示省略）を表示する。
【００３８】
ユーザは、宛先番号入力画面に対し、テンキーを操作して宛先番号を入力すると（Ｓ１）、メインＣＰＵ２０は、入力された宛先番号と通信結果記憶部２８に記憶されている宛先確認用リストとを比較し、入力された宛先番号と一致するものが宛先確認用リストに存在しているか否かを判定し（Ｓ２）、存在している場合は（Ｓ２：Ｙｅｓ）、送信指示画面をタッチパネルディスプレイ３０に表示する（Ｓ３）。
【００３９】
図２は、その送信指示画面を示す。この送信指示画面３００には、入力された宛先番号３０１が宛先確認用リスト中の宛先番号と一致した旨を表示し、次の操作を案内するメッセージ３０２と、「送信」ボタン３０３と、「中止」ボタン３０４とが表示される。
【００４０】
ここで、ユーザが、図２に示す送信指示画面３００に対し、「送信」ボタン３０３を押下して選択すると（Ｓ４）、画像入力部４の図示しないＣＰＵは、ＡＤＦにセットされている原稿を原稿台に供給させ、その原稿を画像読取部に読み取らせる（Ｓ５）。その読み取られた画像は、入力部Ｉ／Ｆ２４を介してページメモリ２３に記憶された後、圧縮・伸長部２７によって圧縮等の処理が施され、通信部２９により通信網１００を介して相手のファクシミリ装置１０１にファクシリミ送信される。
【００４１】
一方、ユーザが、図２に示す送信指示画面３００に対し、「中止」ボタン３０４を押下すると、ファクシミリ送信処理が中止され、送信指示画面３００が閉じられる（Ｓ６）。
【００４２】
上記ステップＳ２において、入力された宛先番号が宛先確認用リストに存在していない場合は（Ｓ２：Ｎｏ）、宛先再入力画面をタッチパネルディスプレイ３０に表示する（Ｓ７）。
【００４３】
図３は、その宛先再入力画面を示す。この宛先再入力画面３１０には、「宛先番号を入力してください。」の如く、宛先の再入力を促すメッセージ３１１が表示される。ここで、ユーザが宛先番号を再度入力すると（Ｓ８）、宛先再入力画面３１０の宛先番号表示エリア３１２にその入力した宛先番号３１３が表示される。
【００４４】
次に、メインＣＰＵ２０は、上記ステップＳ１で１回目に入力された宛先番号と上記ステップＳ８で２回目に入力された宛先番号とが一致しているか否かを判定する（Ｓ９）。宛先番号が一致している場合は（Ｓ９：Ｙｅｓ）、送信指示画面をタッチパネルディスプレイ３０に表示する（Ｓ１０）。
【００４５】
図４は、その送信指示画面を示す。この送信指示画面３２０には、１回目に入力された宛先番号３２１と２回目に入力された宛先番号３２２とが一致した旨を表示し、次の操作を案内するメッセージ３２３と、「送信」ボタン３２４と、「中止」ボタン３２５とが表示される。
【００４６】
ここで、ユーザが、図４に示す送信指示画面３２０に対し、「送信」ボタン３２４を押下すると（Ｓ４：Ｙｅｓ）、前述したように送信対象の原稿が画像入力部４によって読み取られ（Ｓ５）、通信部２９によってファクシミリ送信される。「中止」ボタン３２５を押下すると、ファクシミリ送信処理が中止され、送信指示画面３２０が閉じられる（Ｓ６）。
【００４７】
上記ステップＳ９において、１回目と２回目に入力された宛先番号が一致していない場合は（Ｓ９：Ｎｏ）、再入力確認画面をタッチパネルディスプレイ３０に表示する（Ｓ１１）。
【００４８】
図５は、その再入力確認画面を示す。この再入力確認画面３３０には、１回目に入力された宛先番号３３１と２回目に入力された宛先番号３３２とが一致していない旨を表示し、次の操作を案内するメッセージ３３３と、「再入力」ボタン３３４と、「中止」ボタン３３５とが表示される。
【００４９】
図５の再入力確認画面３３０に対し、ユーザが「再入力」ボタン３３４を押下すると（Ｓ１２：Ｙｅｓ）、上記ステップＳ７に戻り、図３に示す宛先再入力画面３１０が表示され、その後の操作を受け付ける。ユーザが、「中止」ボタン３３５を押下すると（Ｓ１２：Ｎｏ）、ファクシミリ送信処理が中止され、再入力確認画面３３０が閉じられる（Ｓ６）。
【００５０】
（第１の実施の形態の効果）
この第１の実施の形態によれば、入力された宛先番号と、過去に正常に送信が完了した宛先番号からなる宛先確認用リストとが比較され、入力された宛先番号の正誤が判定されるので、誤った宛先への送信ミスを確実に防ぐことができる。また、入力された宛先番号が宛先確認用リストに存在しない場合でも、その宛先番号を２回入力させることで、入力ミスを防ぐことができる。
【００５１】
［第２の実施の形態］
次に、本発明の第２の実施の形態に係る複合機を説明する。この第２の実施の形態は、、第１の実施の形態に対し、送信データを複数箇所に同時に送信できる機能を備えたものであり、第１の実施の形態と同様に図１に示す全体構成を有するので、その図示を省略する。
【００５２】
この第２の実施の形態のシステムメモリ２６には、後述する図１１のフローチャートに示すようなＣＰＵ２０の動作プログラムや、後述する図７〜図１０に示すような画面等の各種のデータが記憶されている。
【００５３】
（第２の実施の形態の動作）
次に、第２の実施の形態の動作を図１、図３、図７〜図１０を参照し、図１１のフローチャートに従って説明する。図７〜図１０は、タッチパネルディスプレイ３０に表示される画面を示す。なお、以下の動作説明では、特に記載がない場合は、メインＣＰＵ２０が行うものとする。
【００５４】
まず、ユーザは、画像入力部４のＡＤＦに送信対象の原稿をセットし、操作パネル３のタッチパネルディスプレイ３０に表示されているメニュー画面からファクシミリ送信機能を選択する。コントローラ２のメインＣＰＵ２０は、タッチパネルディスプレイ３０に宛先指定画面を表示する（Ｓ２１）。
【００５５】
（宛先指定画面）
図７は、その宛先指定画面を示す。この宛先指定画面３４０は、ファクス／インターネットファクス（ｉＦＡＸ）の宛先指定を行う画面であり、複数の宛先を指定することにより、複数の宛先に送信データを同時に送信できる。この画面３４０には、宛先履歴表示エリア３４１、宛先入力エリア３４２、「次宛先」ボタン３４３、「iFAX/内線/外線切り替え」ボタン３４４、「宛先表」ボタン３４５、「キーボード」ボタン３４６、宛先リスト３４７、ポップアップメニュー３４８、スクロールボタン３４９等が表示される。
【００５６】
ここで、宛先指定画面３４０の詳細について以下に説明する。
【００５７】
「iFAX/内線/外線切り替え」ボタン３４４は、回線種別を切り替えるものである。「宛先表」ボタン３４５は、宛先表を開くものであり、この宛先表には、短縮登録番号がボタン表示され、このボタンにより一覧表示や検索、宛先指定ができる。「キーボード」ボタン３４６は、宛先指定するためのキーボード画面をタッチパネルディスプレイ３０に表示するものである。
【００５８】
宛先履歴表示エリア３４１には、宛先の設定数（７）が表示され、指定した宛先の履歴が左から指定した順番に表示される。例えば、（００９）、（００７）、（０５５）等の数字３桁は短縮番号が指定されたことを示し、（ｄ００１）は、フルダイヤルが指定されたことを示し、（＃０５）は、グループダイヤルが指定されたことを示す。
【００５９】
宛先入力エリア３４２は、入力中の宛先を表示するものであり、例えば、「宛先表」ボタン３４５を操作して、図７に示すように、短縮番号として２５番を入力すると、短縮２５番に登録されている内容（宛先名等）が宛先入力エリア３４２に展開表示される。なお、「キーボード」ボタン３４６あるいはテンキーでフルダイヤル「１１１１１」と入力すると、宛先入力エリア３４２に「１１１１１」と表示される。
【００６０】
「次宛先」ボタン３４３は、宛先入力エリア３４２に宛先を入力して指定した後、次の宛先を宛先入力エリア３４２に入力する場合に用いるものである。
【００６１】
宛先リスト３４７は、宛先入力エリア３４２に入力して指定された宛先を上から新しい順に表示するものである。
【００６２】
入力エリア３４２に表示されている宛先は、「次宛先」ボタン３４３を押下することにより、宛先リスト３４７の最上段に追加され、宛先入力エリア３４２は空白になる。図７に示す状態で「次宛先」ボタン３４３を押下すると、短縮番号２５の内容が宛先リスト３４７の最上段に追加される。宛先リスト３４７は、右側にある上下三角のスクロールボタン３４９でスクロール表示される。宛先リスト３４７中の「宛先確認」のチェックボックス３４７ｂは、指定した宛先と一致するものが宛先確認用リストに存在しているか否かの宛先の確認の結果、一致していた場合は、チェックマークが付加される。
【００６３】
宛先リスト３４７には、短縮番号３４７ａ、宛先確認のチェックボックス３４７ｂ、宛先名（登録されていれば）３４７ｃ、宛先番号が表示される。
【００６４】
宛先リスト３４７に表示されている宛先を選択すると、反転表示になり、その宛先に対するポップアップメニュー３４８が宛先リスト３４７の前面に重ねて表示される。図７に示す例では、短縮番号（ｄ００１）が選択されている場合を示す。ポップアップメニュー３４８において、「削除」は、選択した宛先を削除し、同時に宛先履歴表示エリア３４１からも該当宛先を削除する。「宛先確認」は、選択した宛先の入力ミスの確認を行い、「詳細」は、選択した宛先の宛先名（登録されていれば）、宛先番号を全桁表示し、「取り消し」は、宛先の選択を取り消すものである。
【００６５】
ユーザが、宛先指定画面３４０の宛先リスト３４７に表示されている宛先から確認したい宛先を選択すると（Ｓ２２）、メインＣＰＵ２０は、宛先指定画面３４０にポップアップメニュー３４３を表示する（Ｓ２３）。
【００６６】
ユーザが、ポップアップメニュー３４３から「宛先確認」を選択すると（Ｓ２４）、メインＣＰＵ２０は、選択された宛先番号と通信結果記憶部２８に記憶されている宛先確認用リストとを比較し、選択された宛先番号と一致するものが宛先確認用リストに存在しているか否かを判定し（Ｓ２５）、存在している場合は（Ｓ２５：Ｙｅｓ）、宛先リスト３４７の「宛先確認」のチェックボックス３４７ｂにチェックマークを付加し、判定結果画面をタッチパネルディスプレイ３０に表示する（Ｓ２６）。
【００６７】
図８は、その判定結果画面を示す。この判定結果画面３５０には、選択された宛先番号３５１と宛先確認用リスト中の宛先番号とが一致した旨のメッセージ３５２と、「閉じる」ボタン３５３とが表示される。
【００６８】
ユーザが、判定結果画面３５０に対し、「閉じる」ボタン３５２を押下すると、メインＣＰＵ２０は、判定結果画面３５０を閉じて、図７に示す宛先指定画面３４０をタッチパネルディスプレイ３０に表示する。
【００６９】
ユーザは、確認したい宛先番号が無い場合は（Ｓ２８：Ｎｏ）、操作パネル３の図示しないスタートボタンを押下すると（Ｓ２９：Ｙｅｓ）、画像入力部４の図示しないＣＰＵは、ＡＤＦにセットされている原稿を原稿台に供給させ、その原稿を画像読取部に読み取らせる（Ｓ３０）。その読み取られた画像は、入力部Ｉ／Ｆ２４を介してページメモリ２３に記憶された後、圧縮・伸長部２７によって圧縮等の処理が施され、通信部２９により通信網１００を介して相手のファクシミリ装置１０１にファクシリミ送信される。
【００７０】
上記ステップＳ２５において、選択された宛先番号が宛先確認用リストに存在していない場合は（Ｓ２５：Ｎｏ）、図３に示した宛先再入力画面３１０をタッチパネルディスプレイ３０に表示する（Ｓ３１）。
【００７１】
ここで、ユーザが宛先番号を再度入力すると（Ｓ３２）、メインＣＰＵ２０は、上記ステップＳ２２で選択された宛先番号と上記ステップＳ３２で入力された宛先番号とが一致しているか否かを判定する（Ｓ３３）。宛先番号が一致している場合は（Ｓ３３：Ｙｅｓ）、判定結果画面をタッチパネルディスプレイ３０に表示する（Ｓ３４）。
【００７２】
図９は、その判定結果画面を示す。この判定結果画面３６０には、１回目に入力（選択）された宛先番号３６１と２回目に入力された宛先番号３６２とが一致した旨のメッセージ３６３と、「閉じる」ボタン３６４とが表示される。
【００７３】
ユーザが、判定結果画面３６０に対し、「閉じる」ボタン３６４を押下すると、前述した上記ステップＳ２７〜Ｓ３０が実行される。
【００７４】
上記ステップＳ３３において、１回目と２回目に入力された宛先番号が一致していない場合は（Ｓ３３：Ｎｏ）、再入力確認画面をタッチパネルディスプレイ３０に表示する（Ｓ３５）。
【００７５】
図１０は、その再入力確認画面を示す。この再入力確認画面３７０には、１回目に入力された宛先番号３７１と２回目に入力された宛先番号３７２とが一致していない旨を表示し、次の操作を案内するメッセージ３７３と、「再入力」ボタン３７４と、「閉じる」ボタン３７５とが表示される。
【００７６】
ユーザが、再入力確認画面３７０に対し、「再入力」ボタン３７４を押下すると（Ｓ３６：Ｙｅｓ）、上記ステップＳ３１以降が実行され、「閉じる」ボタン３７５を押下すると、上記ステップＳ２７以降が実行される。
【００７７】
なお、同時に送信するために指定した複数の宛先番号のうちチェックを選択してＯＫとなったものだけを送信してもよいし、ＯＫのものだけでなく未チェックのものも送信してもよい。この場合、スタートボタンは、任意の時点で押下できるものとし、スタートボタンを押下した時点で未チェックの数あるいは未チェックの宛先番号を表示してユーザに送信の確認を行ってもよい。
【００７８】
（第２の実施の形態の効果）
この第２の実施の形態によれば、確認したい宛先番号をユーザが任意に選択することで、必要な宛先番号のみを確認することができ、操作性が向上する。また、１回の入力操作で複数箇所に同時に送信できるので、送信作業が容易となり、送信ミスも防ぐことができる。
【００７９】
なお、本発明は、上記各実施の形態に限定されず、その発明の要旨を逸脱しない範囲内において種々な変形が可能である。
【００８０】
例えば、上記各実施の形態では、ファクシミリ送信する場合について説明したが、本発明は、電子メールを送信する場合にも適用することができる。
【００８１】
また、上記各実施の形態では、本発明を複合機に適用した場合について説明したが、ファクシミリ専用装置やＰＣ等にも適用することができる。
【図面の簡単な説明】
【００８２】
【図１】本発明の第１の実施の形態に係るデータ送信装置が適用された複合機のブロック図である。
【図２】第１の実施の形態に係る送信指示画面を示す図である。
【図３】第１の実施の形態に係る宛先再入力画面を示す図である。
【図４】第１の実施の形態に係る送信指示画面を示す図である。
【図５】第１の実施の形態に係る再入力確認画面を示す図である。
【図６】本発明の第１の実施の形態に係る複合機の動作を示すフローチャートである。
【図７】第２の実施の形態に係る宛先指定画面を示す図である。
【図８】第２の実施の形態に係る判定結果画面を示す図である。
【図９】第２の実施の形態に係る判定結果画面を示す図である。
【図１０】第２の実施の形態に係る再入力確認画面を示す図である。
【図１１】本発明の第２の実施の形態に係るデータ送信装置が適用された複合機の動作を示すフローチャートである。
【符号の説明】
【００８３】
１  複合機
２  コントローラ
３  操作パネル
４  画像入力部
５  画像出力部
２０  メインＣＰＵ
２１  バス
２２  パネルＩ／Ｆ
２３  ページメモリ
２４  入力部Ｉ／Ｆ
２５  出力部Ｉ／Ｆ
２６  システムメモリ
２７  圧縮・伸長部
２８  通信結果記憶部
２９  通信部
３０  タッチパネルディスプレイ
１００  通信網
１０１  ファクシミリ装置
１０２  ファクシミリ装置
３００  送信指示画面
３０１  宛先番号
３０２  メッセージ
３０３  「送信」ボタン
３０４  「中止」ボタン
３１０  宛先再入力画面
３１１  メッセージ
３１２  宛先番号表示エリア
３１３  宛先番号
３２０  送信指示画面
３２１，３２２  宛先番号
３２３  メッセージ
３２４  「送信」ボタン
３２５  「中止」ボタン
３３０  再入力確認画面
３３１，３３２  宛先番号
３３３  メッセージ
３３４  「再入力」ボタン
３３５  「中止」ボタン
３４０  宛先指定画面
３４１  表示エリア
３４２  宛先入力エリア
３４３  「次宛先」ボタン
３４４  「iFAX/内線/外線切り替え」ボタン
３４５  「宛先表」ボタン
３４６  「キーボード」ボタン
３４７  宛先リスト
３４７ａ  短縮番号
３４７ｂ，３４２ｄ  チェックボックス
３４７ｃ  宛先名
３４８  ポップアップメニュー
３４９  スクロールボタン
３５０  判定結果画面
３５１  宛先番号
３５３  「閉じる」ボタン
３５２  メッセージ
３６０  判定結果画面
３６１，３６２  宛先番号
３６３  メッセージ
３６４  「閉じる」ボタン
３７０  再入力確認画面
３７１，３７２  宛先番号
３７３  メッセージ
３７４  「再入力」ボタン
３７５  「閉じる」ボタン
【図１】
2006324968.tif 000003
【図２】
2006324968.tif 000004
【図３】
2006324968.tif 000005
【図４】
2006324968.tif 000006
【図５】
2006324968.tif 000007
【図６】
2006324968.tif 000008
【図７】
2006324968.tif 000009
【図８】
2006324968.tif 000010
【図９】
2006324968.tif 000011
【図１０】
2006324968.tif 000012
【図１１】
2006324968.tif 000013